(57)【要約】【課題】  配布対象者毎に、その配布対象者にとって所定の運用が適用されていない文字が混在せず、内容の理解に支障を来たさない印刷物を印刷可能にする。【解決手段】  ホスト端末１０において、学習済漢字管理ＴＢ１３１は、各学年毎の漢字配当表中、各学年が現在までに学習済の漢字文字に学習済の旨の情報を付加した学習済漢字管理情報を保持する。配布対象者を指定した文書情報の印刷指示に際し、学習済漢字変換処理部１４５は、該文書情報中の配布対象者に対応して学習済漢字管理ＴＢ１３１に格納される学習済漢字に対応する文字列を漢字に変換処理し、印刷ジョブ生成部１４２は、学習済漢字変換処理部１４５により変換処理後の文書情報に基づき、プリンタ２０に、印刷指示された文書情報中、学習済の漢字に相当する文字列が漢字に変換された印刷物を印刷出力させる。【選択図】  図２
2008112379.tif 000002
【特許請求の範囲】
【請求項１】
印刷物の配布先に対応して、該配布先に関連する文字群と、該文字群中の各文字に所定の運用が適用されたか否かを示す指示情報を保持する情報保持手段と、
文書情報の印刷指示に際し、印刷物の配布先を指定する指定手段と、
配布先を指定した文書情報の印刷指示に際し、該文書情報の文字列のうち、当該指定された配布先に対応して前記情報保持手段に保持される前記運用の適用済み文字に相当する文字列を該運用に対応する文字に変換する変換手段と、
前記変換手段による文字列変換後の前記文書情報に基づき印刷装置に対する印刷指示を行なう印刷指示手段と
を具備する情報処理装置。
【請求項２】
前記情報保持手段は、
各学年に対応して、該各学年で学習すべき漢字文字群と、該漢字文字群中の各漢字が学習済みか否かを示す指示情報を保持し、
前記変換手段は、
前記印刷指示された文書情報の文字列のうち、前記配布先として指定された学年以下の各学年に対応して前記情報保持手段に保持される学習済の漢字文字に相当する文字列を該当する漢字文字に変換する
請求項１記載の情報処理装置。
【請求項３】
文書情報の印刷指示に際し、前記運用の適用済み文字に相当する文字列を該運用に対応する文字に変換して印刷するモードでの印刷を指示する指示手段
を有し、
前記情報保持手段は、
単一の配布先に関連する文字群と、該文字群中の各文字に対応する前記指示情報を保持し、
前記変換手段は、
文書情報の印刷指示に際し、前記指定手段により配布先が指定されず、前記指示手段により前記印刷モードでの印刷が指示されることにより、前記印刷指示された文書情報の文字列のうち、前記情報保持手段に保持される前記運用の適用済み文字に相当する文字列を該運用に対応する文字に変換する
請求項１記載の情報処理装置。
【請求項４】
前記情報保持手段に保持される配布先に関連する文字群を読み出して一覧表示し、該文字群中の任意の文字を選択指定する選択指定手段と、
前記情報保持手段により保持される、前記選択指定手段により選択指定された文字に対応する前記指示情報を、前記運用が適用された旨の情報に更新する更新手段
を具備する請求項１乃至３のいずれか記載の情報処理装置。
【請求項５】
情報処理装置と、
前記情報処理装置及び印刷装置に接続される印刷制御装置と
を有し、
前記情報処理装置は、
前記印刷制御装置に対し、印刷物の配布先を指定した文書情報の印刷指示を行う印刷指示手段
を備え、
前記印刷制御装置は、
印刷物の配布先に対応して、該配布先に関連する文字群と、該文字群中の各文字に所定の運用が適用されたか否かを示す指示情報を保持する情報保持手段と、
前記情報処理装置からの配布先を指定した文書情報の印刷指示の受付けに際し、該文書情報の文字列のうち、当該指定された配布先に対応して前記情報保持手段に保持される前記運用の適用済み文字に相当する文字列を該運用に対応する文字に変換する変換手段と、
前記変換手段による文字列変換後の前記文書情報に基づき前記印刷装置に対する印刷指示を行なう印刷指示手段と
を具備する印刷システム。
【請求項６】
前記情報保持手段は、
各学年に対応して、該各学年で学習すべき漢字文字群と、該漢字文字群中の各漢字が学習済みか否かを示す指示情報を保持し、
前記変換手段は、
前記印刷指示された文書情報の文字列のうち、前記配布先として指定された学年以下の各学年に対応して前記情報保持手段に保持される学習済の漢字文字に相当する文字列を該当する漢字文字に変換する
請求項５記載の印刷システム。
【請求項７】
前記情報処理装置は、
前記印刷制御装置から、前記情報保持手段に保持される配布先に関連する文字群を取得して一覧表示し、該文字郡中の任意の文字を選択指定する選択指定手段
を具備し、
前記印刷制御装置は、
前記情報保持手段により保持される、前記選択指定手段により選択指定された文字に対応する前記指示情報を、前記運用が適用された旨の情報に更新する更新手段
を具備する請求項５または６記載の印刷システム。
【請求項８】
印刷物の配布先に対応して、該配布先に関連する文字群と、該文字群中の各文字に所定の運用が適用されたか否かを示す指示情報を情報保持手段に保持し、
文書情報の印刷指示に際し、印刷物の配布先を指定する指定ステップと、
配布先を指定した文書情報の印刷指示に際し、該文書情報の文字列のうち、当該指定された配布先に対応して前記情報保持手段に保持される前記運用の適用済み文字に相当する文字列を該運用に対応する文字に変換する変換ステップと、
前記変換ステップによる文字列変換後の前記文書情報に基づき印刷装置に対する印刷指示を行なう印刷指示ステップと
を含む印刷制御をコンピュータに実行させる印刷制御プログラム。
【発明の詳細な説明】
【技術分野】
【０００１】
本発明は、情報処理装置、印刷システム及び印刷制御プログラムに関する。
【背景技術】
【０００２】
例えば、小学校などでは、第一学年から第六学年の生徒の間で、漢字等の学習レベルが大きく異なるため、先生が、自分の受け持つ学級の生徒に配布するプリントを印刷する場合、その学級が属する学年の生徒が読める漢字を含む原稿（文書情報）を作って印刷する必要がある。
【０００３】
これを実現するために、例えば、下記特許文献１には、小学校の学年を指定することにより、各学年別の教育漢字が記憶されている学年別文字記憶装置から、文部省の学習指導要領に従って指定された学年以下の漢字を使用した文章でコンピュータのディスプレイに表示させたり、印字できる技術が開示されている。
【特許文献１】特開２０００−３３９３００号公報
【発明の開示】
【発明が解決しようとする課題】
【０００４】
本発明は、配布対象者毎に、その配布対象者にとって所定の運用が適用されていない文字が混在せず、内容の理解に支障を来たさない印刷物を印刷可能な情報処理装置、印刷システム及び印刷制御プログラムを提供することを目的とする。
【課題を解決するための手段】
【０００５】
上記目的を達成するために、請求項１記載の情報処理装置の発明は、印刷物の配布先に対応して、該配布先に関連する文字群と、該文字群中の各文字に所定の運用が適用されたか否かを示す指示情報を保持する情報保持手段と、文書情報の印刷指示に際し、印刷物の配布先を指定する指定手段と、配布先を指定した文書情報の印刷指示に際し、該文書情報の文字列のうち、当該指定された配布先に対応して前記情報保持手段に保持される前記運用の適用済み文字に相当する文字列を該運用に対応する文字に変換する変換手段と、前記変換手段による文字列変換後の前記文書情報に基づき印刷装置に対する印刷指示を行なう印刷指示手段とを具備する。
【０００６】
請求項２記載の発明は、上記請求項１記載の発明において、前記情報保持手段は、各学年に対応して、該各学年で学習すべき漢字文字群と、該漢字文字群中の各漢字が学習済みか否かを示す指示情報を保持し、前記変換手段は、前記印刷指示された文書情報の文字列のうち、前記配布先として指定された学年以下の各学年に対応して前記情報保持手段に保持される学習済の漢字文字に相当する文字列を該当する漢字文字に変換する。
【０００７】
請求項３記載の発明は、上記請求項１記載の発明において、文書情報の印刷指示に際し、前記運用の適用済み文字に相当する文字列を該運用に対応する文字に変換して印刷するモードでの印刷を指示する指示手段を有し、前記情報保持手段は、単一の配布先に関連する文字群と、該文字群中の各文字に対応する前記指示情報を保持し、前記変換手段は、文書情報の印刷指示に際し、前記指定手段により配布先が指定されず、前記指示手段により前記印刷モードでの印刷が指示されることにより、前記印刷指示された文書情報の文字列のうち、前記情報保持手段に保持される前記運用の適用済み文字に相当する文字列を該運用に対応する文字に変換する。
【０００８】
請求項４記載の発明は、上記請求項１乃至４のいずれか記載の発明において、前記情報保持手段に保持される配布先に関連する文字群を読み出して一覧表示し、該文字群中の任意の文字を選択指定する選択指定手段と、前記情報保持手段により保持される、前記選択指定手段により選択指定された文字に対応する前記指示情報を、前記運用が適用された旨の情報に更新する更新手段を具備する。
【０００９】
請求項５記載の印刷システムの発明は、情報処理装置と、前記情報処理装置及び印刷装置に接続される印刷制御装置とを有し、前記情報処理装置は、前記印刷制御装置に対し、印刷物の配布先を指定した文書情報の印刷指示を行う印刷指示手段を備え、前記印刷制御装置は、印刷物の配布先に対応して、該配布先に関連する文字群と、該文字群中の各文字に所定の運用が適用されたか否かを示す指示情報を保持する情報保持手段と、前記情報処理装置からの配布先を指定した文書情報の印刷指示の受付けに際し、該文書情報の文字列のうち、当該指定された配布先に対応して前記情報保持手段に保持される前記運用の適用済み文字に相当する文字列を該運用に対応する文字に変換する変換手段と、前記変換手段による文字列変換後の前記文書情報に基づき前記印刷装置に対する印刷指示を行なう印刷指示手段とを具備する。
【００１０】
請求項６記載の発明は、上記請求項５記載の発明において、前記情報保持手段は、各学年に対応して、該各学年で学習すべき漢字文字群と、該漢字文字群中の各漢字が学習済みか否かを示す指示情報を保持し、前記変換手段は、前記印刷指示された文書情報の文字列のうち、前記配布先として指定された学年以下の各学年に対応して前記情報保持手段に保持される学習済の漢字文字に相当する文字列を該当する漢字文字に変換する。
【００１１】
請求項７記載の発明は、上記請求項５または６記載の発明において、前記情報処理装置は、前記印刷制御装置から、前記情報保持手段に保持される配布先に関連する文字群を取得して一覧表示し、該文字郡中の任意の文字を選択指定する選択指定手段を具備し、前記印刷制御装置は、前記情報保持手段により保持される、前記選択指定手段により選択指定された文字に対応する前記指示情報を、前記運用が適用された旨の情報に更新する更新手段を具備する。
【００１２】
請求項８記載の印刷制御プログラムの発明は、印刷物の配布先に対応して、該配布先に関連する文字群と、該文字群中の各文字に所定の運用が適用されたか否かを示す指示情報を情報保持手段に保持し、文書情報の印刷指示に際し、印刷物の配布先を指定する指定ステップと、配布先を指定した文書情報の印刷指示に際し、該文書情報の文字列のうち、当該指定された配布先に対応して前記情報保持手段に保持される前記運用の適用済み文字に相当する文字列を該運用に対応する文字に変換する変換ステップと、前記変換ステップによる文字列変換後の前記文書情報に基づき印刷装置に対する印刷指示を行なう印刷指示ステップとを含む印刷制御をコンピュータに実行させる。
【発明の効果】
【００１３】
請求項１，５及び８記載の各発明によれば、本構成を有しない場合に比較して、配布先毎に、その配布先にとって所定の運用が適用されていない文字が混在しないため、内容の理解できないといったことがなくなる。
【００１４】
請求項２及び６記載の各発明によれば、本構成を有しない場合に比較して、各学年の生徒は、自分たちが学習済の漢字のみを使った文書が印刷されている印刷物を先生から配布されるため、漢字が読めないことによる理解力低下を防止できる。
【００１５】
請求項３記載の発明によれば、本構成を有しない場合に比較して、配布先が単一の学年あるいは個人の場合、配布先を指定する必要がなく、学習済漢字変換印刷モードを指定するだけで、簡単に、これら配布先の学年あるいは個人が読める漢字のみから成る印刷物を印刷できる。
【００１６】
請求項４及び７記載の各発明によれば、本構成を有しない場合に比較して、各学年生徒の漢字学習の進行に合わせて、各学年の生徒が、その時点で読める漢字を含む印刷物を配布することにより、生徒の側は、学年中に学習した漢字に漸次接することが多くなり、漢字学習機会を多くすることができ、先生の側では、生徒に学習させた漢字を逐次選択指定する操作を通じて、学習済の漢字の確認が行える。
【発明を実施するための最良の形態】
【００１７】
以下、本発明の実施形態について添付図面を参照して詳細に説明する。
【実施例１】
【００１８】
図１は、実施例１に係わる印刷システムの全体構成を示すブロック図である。
【００１９】
この印刷システムは、文書の編集や管理、印刷要求（印刷ジョブ）送出等の文書処理機能を有するホスト端末１０と、ホスト端末１０から受信した印刷ジョブに基づき該印刷ジョブ中の印刷データを記録媒体（記録用紙）印刷して出力するプリンタ２０とをＬＡＮケーブル等の伝送路３０を介して構成される。
【００２０】
図２は、実施例１に係わるホスト端末１０の機能構成を示すブロック図である。
【００２１】
ホスト端末１０は、例えば、ＰＣ（パーソナル・コンピュータ）により実現され、図２に示すように、キーボードやマウス等の入力デバイスから成る入力／操作部１１、操作ガイダンスや動作状態等の各種情報を表示する表示部１２、動作プログラム等の各種情報を記憶する記憶部１３、装置全体の制御を行う制御部１４、伝送路３０を介してプリンタ２０と通信する際の通信インタフェースを司る外部インタフェース（Ｉ／Ｆ）部１５を備えて構成される。
【００２２】
ホスト端末１０において、記憶部１３には、該ホスト端末１０の印刷制御を通じてプリンタ２０により印刷される印刷物を配布する対象者（配布先）に対応して、該配布対象者に関連する文字群と、該文字群中の各文字に所定の運用が適用されたか否かを示す情報を保持する情報保持手段、中でも、配布対象者である、例えば、小学校の各学年に対応して、該学年で学習すべき漢字文字群と、該漢字文字群中の各漢字が学習済みか否かを示す情報を保持する学習済漢字管理テーブル（ＴＢ）１３１が設けられる。
【００２３】
また、ホスト端末１０において、制御部１４には、入力／操作部１１での所定の操作に応じて文書情報（文書ファイル）などの操作、保存、表示、編集、印刷指示操作などの処理を行うアプリケーション部１４１、入力／操作部１１での所定の印刷指示操作に基づき文書ファイルの印刷データとその処理命令から成る印刷ジョブを生成してプリンタ２０に送出する印刷ジョブ生成部１４２、記憶部１３に設けられる学習済漢字管理ＴＢ１３１を用い、配布対象者（学年）に対応する、学習すべき漢字文字群と、該漢字文字群中の各漢字が学習済みか否かを示す情報の登録並びに更新を含む管理処理を行なう学習済漢字管理部１４３、利用者（ユーザ）が文書情報の印刷指示を行なう際に、該文書情報に基づく印刷物の配布対象者の指定を受付ける等の制御を行う配布先指定制御部１４４、配布先指定制御部１４４により指定された配布先に対応して学習済漢字管理ＴＢ１３１に保持される漢字文字群中の学習済みの漢字文字と、印刷指示された文書情報中の文字列とを照合し、印刷指示された文書情報中の文字列のうちの学習済みの漢字文字列に相当する文字列を該当する漢字文字に変換する学習済漢字変換処理部１４５が設けられる。
【００２４】
図３は、実施例１に係わるプリンタ２０の機能構成を示すブロック図である。
【００２５】
図３に示すように、プリンタ２０は、伝送路３０を介してホスト端末１０と通信する際の通信インタフェースを司る外部インタフェース（Ｉ／Ｆ）部２１、外部  Ｉ／Ｆ部２１を通じてホスト端末１０から受信した印刷ジョブから抽出した印刷データや動作プログラム等の各種情報を記憶する記憶部２２、受信した印刷データを画像処理して得られる印刷イメージデータに基づき電子写真プロセスを実行して記録媒体（記録用紙）に画像を形成（印刷）する画像形成部２３、タッチパネル機能を有する大型ビットマップディスプレイ等から成る表示／操作部２４、装置全体の制御を行なう制御部２５を具備して構成される。
【００２６】
プリンタ２０において、制御部２５には、ホスト端末１０から外部  Ｉ／Ｆ部２１を通じて受信した印刷ジョブの解析、及び、該解析結果に基づく印刷イメージデータの生成処理を行う印刷ジョブ解析部２５１、印刷イメージデータを画像形成部２３に送信して記録媒体上に画像を印刷出力させる印刷制御部２５２が設けられる。
【００２７】
図４は、学習済漢字管理ＴＢ１３１に登録される学習済漢字管理情報の一例を示す表図である。
【００２８】
図４に例示する学習済漢字管理ＴＢ１３１には、まず、小学校の第一学年から第六学年の各々に対応して、各学年毎に学習すべき漢字文字群が登録されている。
【００２９】
この情報は、文部省が定めた学習指導要領に従って各学年が学習することが義務付けられた教育漢字を各学年別に配列して成る学年別漢字配当表に相当する情報である。
【００３０】
併せて、学習済漢字管理ＴＢ１３１には、漢字配当表中の各漢字に対応して、当該漢字が学習済であるか否かを示す情報（特許請求の範囲における指示情報）が登録されている。
【００３１】
本実施例では、その漢字が学習済であるか否かを示す情報として、例えば、当該漢字が学習済である場合には“１”の値を有し、学習済でない場合には“０”の値を有する学習／未学習指示フラグが各漢字に対応して登録されている。
【００３２】
この印刷システムは、例えば、学校の職員室に設置され、ある学年あるいは学級を受け持つ先生が、該学年あるいは学級の生徒に配布するプリント（印刷物）を印刷するために用いられる。
【００３３】
そして、この印刷システムでは、所望のプリントを印刷して配布しようとした時、該プリントの元原稿となる文書情報の印刷指示に際して、配布対象者（配布先）を指定すると、ホスト端末１０は、該印刷指示された文書情報を構成する文字列のうち、該配布先に対応する学習済みの漢字に対応する文字列を該当する漢字に変換してプリンタ２０により印刷させる印刷制御を行う。
【００３４】
かかる運用を実現するために、例えば、各学年を受け持つ先生（ユーザ）は、文部省の学習指導要領に従って、各漢字を、受け持ちの学年の生徒に教え終わる毎に、ホスト端末１０を用いて、学習済漢字管理ＴＢ１３１に保持される学年別漢字配当表中の当該各漢字を学習済漢字として更新登録する必要がある。
【００３５】
図５は、ホスト端末１０における学習済漢字管理ＴＢ１３１に対する学習済漢字管理情報の更新設定処理を示すフローチャートである。この処理は、ホスト端末１０の制御部１４に設けられる学習済漢字管理部１４３により行なわれる。
【００３６】
学習済漢字管理部１４３は、例えば、アプリケーション部１４１の制御下の学習済漢字登録（更新）アプリケーションとして備わるものであり、ユーザ（先生）が、例えば、表示部１２に表示される画面（デスクトップ画面）上の対応するアイコンを選択指定することにより起動され（ステップＳ１０１）、「登録開始」ボタン等を含むメニュー画面が表示される。
【００３７】
メニュー画面の表示中、学習済漢字管理部１４３は、「登録開始」ボタンの押下等による学習済漢字登録開始操作があったか否かを監視する（ステップＳ１０３）。
【００３８】
ここで、ユーザにより学習済漢字登録開始操作が行なわれると（ステップＳ１０３ＹＥＳ）、学習済漢字管理部１４３は、学習済漢字管理ＴＢ１３１から学年別漢字配当表の情報を読み出し、該読み出した学年別漢字配当表の一覧表示を含む登録画面を表示部１２に表示する（ステップＳ１０５）。
【００３９】
図６は、ステップＳ１０５の処理により表示部１２に表示される学習済漢字登録画面１２１の表示例を示す図である。
【００４０】
図６に示すように、学習済漢字登録画面１２１には、学習済漢字管理ＴＢ１３１から読み出した学年別漢字配当表１２１１と共に、該学年別漢字配当表中の所望の漢字を指し示すためのカーソル１２１２、カーソルが指し示した漢字を選択することを指示する「選択」ボタン１２１３、更新設定の開始を指示する「設定」ボタン１２１４、及び、更新設定の終了を指示する「終了」ボタン１２１５等の操作ツールが表示される。
【００４１】
ユーザは、この学習済漢字登録画面１２１で、入力／操作部１１でのキーやマウス等の入力デバイスを用いてカーソル１２１２を学年別漢字配当表上の任意の漢字に移動させ、「選択」ボタン１２１３を押下することにより、該漢字を学習済の漢字として選択指定でき、この状態で「設定」ボタン１２１４を押下することにより、該選択指定した漢字の学習済漢字としての更新設定開始を指示することができ、更に、「終了」ボタン１２１５を押下することにより、更新設定の終了を指示することができる。
【００４２】
これに対し、学習済漢字管理部１４３は、学習済漢字登録画面１２１の表示中、該学習済漢字登録画面１２１上の、例えば、「終了」ボタン１２１４の押下操作等による更新設定終了操作が行なわれた否かを監視し（ステップＳ１０７）、更新設定終了操作が行なわれない場合（ステップＳ１０７ＮＯ）は、引き続き、学習済漢字登録画面１２１上でカーソル１２１２により任意の漢字を指し示した状態で、「選択」ボタン１２１２を押下し、かつ、「設定」ボタン１３１４を押下する学習済漢字の選択指定操作がなされたか否かを監視する（ステップＳ１０９）。
【００４３】
ここで、学習済漢字の選択指定操作行われた場合（ステップＳ１０９ＹＥＳ）、学習済漢字管理部１４３は、該選択指定された漢字に対応する文字コードを抽出し（ステップＳ１１１）、学習済漢字管理ＴＢ１３１における当該文字コードに対応する漢字に対応する学習／未学習フラグを、未学習に対応する値“０”から、学習済に対応する値“１”に更新設定する（ステップＳ１１３）。
【００４４】
以後、更新設定終了操作がなされない間（ステップＳ１０７ＮＯ）は、同様にして、ユーザにより選択指定された漢字を学習済漢字として更新設定する処理を続ける（ステップＳ１０９ＹＥＳ→Ｓ１１１→Ｓ１１３）。
【００４５】
そして、この間、更新設定終了操作がなされた場合（ステップＳ１０７ＹＥＳ）、学習済漢字登録画面１２１を閉じ、一連の学習済漢字更新設定処理を終了する。
【００４６】
ホスト端末１０が、上記のような学習済漢字更新設定処理機能を有することで、先生は、該ホスト端末１０を用い、学習済漢字管理ＴＢ１３１の学年別漢字配当表の各漢字について、学習済である旨の情報を付加した内容に更新設定する作業を、学習の進行に合わせて、その都度、実施することができる。
【００４７】
なお、学習済漢字管理部１４３は、学習済漢字登録アプリケーションとして実装するのに限らず、アプリケーション部１４１の制御下で動作する文書処理アプリケーションの一処理機能として設けるようにしても良い。
【００４８】
また、図５においては、配布先（各学年）と、配布先に関連する文字情報（学年別漢字配当表）は変化がなく、配布先に関連する文字情報中の各文字（学年別漢字配当表中の各漢字）を対象に所定の運用を行なったこと（学習済であること）を示す情報のみを更新設定する例を挙げたが、配布先、配布先に関連する文字情報、該文字情報中の各文字に所定の運用が適用されたか否かの情報の全てを対象に登録、あるいは更新する処理機能を設けても良い。
【００４９】
次に、本実施例に係わる印刷システムのホスト端末１０における印刷処理動作について図７に示すフローチャートを参照して詳述する。
【００５０】
図７に示すように、ホスト端末１０では、ユーザによる入力／操作部１１での所望のアプリケーション（文書処理アプリケーション）の選択起動操作に応じて、アプリケーション部１４１が該アプリケーションを起動する（ステップS２０１）。
【００５１】
以後、このアプリケーションは、アプリケーション部１４１の制御下で、ユーザによる印刷を希望する文書情報の選択操作に応じて、該アプリケーションが管理している文書情報の中から該選択された文書情報を読み出してその編集画面を表示する文書情報選択処理（ステップＳ２０２）と、編集画面上での該当メニューボタン（「印刷」ボタン）の操作に応じて、例えば、図８に示すような印刷設定画面１２５を開いてユーザからの印刷設定（印刷制御情報）の入力を受付ける処理（ステップＳ２０３）を実施する。
【００５２】
ここで、印刷設定画面１２５には、図８に示すように、印刷部数、レイアウト（縦／横）、用紙サイズ（Ｂ４，Ａ４，Ｂ５，…）、拡大／縮小（１枚当たりの頁数，用紙サイズ指定）、印刷範囲（全頁，現在の頁，指定頁）等の一般的な設定項目の入力欄の他、ステップＳ２０２で選択した文書情報に基づく印刷物の配布先を指定する配布先指定欄が設けられる。
【００５３】
この配布先指定欄は、図７のステップＳ２０８〜Ｓ２１９の処理に相当する学習済漢字変換印刷モード〔印刷指示した文書情報のうちの、一緒に指定した配布先（ある学年）が学習済の漢字に相当する文字列を漢字に変換して印刷するモード〕での印刷を行なうことを指示する機能を兼ねるもので、この例では、学習済漢字変換印刷モードで印刷するか否か（起動するか否か）を指示するチェック・ボックス（ＣＢ）と、該ＣＢに付随して設けられ、選択候補である、例えば、第一学年から第六学年のうちからいずれかの学年を配布先として選択指定できるコンボ・ボックス（ＣＭＢと略称）とにより構成される。
【００５４】
これにより、ユーザは、例えば、第一学年のある学級（例えば、Ａ組）に配布するプリントを印刷する場合、上記ステップＳ２０２で印刷対象の文書情報を選択し、上記ステップＳ２０３で印刷部数として該Ａ組の人数（例えば、４０人）に対応する印刷部数＝４０部を指定する等の印刷設定を行った後、更に、配布先指定欄のチェック・ボックスにチェックを入れ、かつ、付随のコンボ・ボックスを操作して第一学年を選択することで、該第一学年を配布先として指定することができる。
【００５５】
一方、配布先指定制御部１４４は、印刷設定画面１２５上の配布先指定欄を用いて行われる配布先選択指定操作を監視して該配布先の指定（例えば、［当該学年に対応する学年コードを入力する］を受付け（ステップＳ２０４）、該受付けた配布先（この例では、第一学年）の情報（学年コード）を、学習済漢字管理ＴＢ１３１の検索キーとして保持する。
【００５６】
上記ステップＳ２０２、Ｓ２０３及びＳ２０４での文書情報の選択、印刷設定及び配布先指定の受付処理を続けながら、アプリケーション部１４１は、印刷設定画面１２５上で「開始」ボタンを押下する等の印刷開始指示操作が行われたか否かを監視する（ステップＳ２０５）。
【００５７】
この間、印刷開始指示操作が行なわれると（ステップＳ２０５ＹＥＳ）、印刷ジョブ生成部１４２は、上記ステップＳ２０２で選択された文書情報を上記ステップＳ２０３で指定された印刷設定で印刷する処理命令を含む印刷ジョブの生成準備を行う。
【００５８】
その際、印刷設定と共に、印刷物の配布先の指定があるか否か（配布先の情報が保持されているか否か）をチェックし（ステップＳ２０６）、配布先の指定がないと判別された場合（ステップＳ２０６ＮＯ）は、通常の印刷処理（ステップＳ２２１）を行う。
【００５９】
この通常の印刷処理において、印刷ジョブ生成部１４２は、上記ステップＳ２０２で選択された文書情報を基に印刷データを生成すると共に、該印刷データと印刷部数を４０部とする処理命令を含む印刷ジョブを生成してプリンタ２０に送出し、該プリンタ２０に該印刷ジョブに基づき印刷物（文書情報に対応する画像）を指定部数（４０部）分印刷出力させる。
【００６０】
これに対し、印刷物の配布先の指定があると判別された場合（ステップＳ２０６ＹＥＳ）は、保持している配布先の情報（識別情報：学年コード）を基に配布先の学年を判別する（ステップＳ２０８）。
【００６１】
次いで、学習済漢字変換処理部１４５は、判別された学年まで（当該学年以下）の各学年に対応して学習済漢字管理ＴＢ１３１に格納されている漢字文字の学習／未学習フラグをチェックし、その値が“１”である学習済の漢字文字（文字コード）を読出し、これを比較照合情報エリアに保持する（ステップＳ２０９）。
【００６２】
次いで、学習済漢字変換処理部１４５は、上記ステップＳＳ２０２で選択された文書情報を図示しないファイル管理エリアから読出し、該文字情報（文字列）を所定の作業エリアに保持する（ステップＳ２１０）。
【００６３】
引き続き、学習済漢字変換処理部１４５は、上記作業エリアに保持された文書情報の各文字列の文字コードを検出し（ステップＳ２１１）、全ての文字コードが検出された後、該検出された文字コードを順に読み出し（ステップＳ２１２）、当該文字が漢字か否かを判別する（ステップＳ２１３）。
【００６４】
ここで、当該文字が漢字でないと判別されると（ステップＳ２１３ＮＯ）、当該文字列をひらがなに変換（ステップＳ２１７）した後、次の文字コードがあるか否かをチェックする（ステップＳ２１８）。
【００６５】
ここで、次の文字コードがある場合（ステップＳ２１８ＹＥＳ）、ステップＳ２１２に戻って該文字コードを読み出し、以後、ステップＳ２１３以降の処理を続行する。
【００６６】
この間、該文字コードに対応する文字が漢字であると判別されると（ステップＳ２１３ＹＥＳ）、該文字コードと上記ステップＳ２０９で比較照合情報エリアに保持されている学習済漢字文字の文字コードと比較照合し（ステップＳ２１４）、漢字であると判別された文字列に対応する漢字が、比較照合情報エリアに保持されている学習済漢字文字の中に存在するか否かによって、該漢字であると判別された文字列が学習済の漢字であるか否かをチェックする（ステップＳ２１５）。
【００６７】
ここで、漢字であると判別された（変換しようとする）文字列が学習済の漢字ではないと判別された場合（ステップＳ２１５ＮＯ）、該文字列をひらがなに変換し（ステップＳ２１７ＹＥＳ）、ステップＳ２１８以降の処理へと進む。
【００６８】
これに対し、変換しようとする文字列が学習済の漢字であると判別された場合（ステップＳ２１５ＹＥＳ）、該文字列を該当する漢字文字に変換し（ステップＳ２１６）、ステップＳ２１８以降の処理に進む。
【００６９】
このように、ステップＳ２１２〜Ｓ２１８の処理を経て、印刷指示された文書情報中の各文字列について、学習済の漢字である場合には該文字列を漢字に変換し、学習済の漢字でない場合は該文字列をひらがなに変換する処理を続けるうちに、当該処理対象の文字列がなくなったと判別された場合（ステップＳ２１８ＹＥＳ）、学習済漢字変換処理部１４５は、印刷指示対象の文書情報中の学習済漢字の変換処理が終了したことを認識し、印刷ジョブ生成部１４２にその旨を通知する。
【００７０】
印刷ジョブ生成部１４２は、上記通知を受けると、上記ステップＳ２１２〜Ｓ２１８の処理を経て配布先（ステップＳ２０４で指定される）にとって学習済の漢字に相当する文字列のみが該当する漢字文字に変換された後の当該文書情報（ステップＳ２０２で印刷指示された文書情報）に基づくプリンタ２０への印刷指示を行なう（ステップＳ２１９）。
【００７１】
具体的には、上記のように学習済漢字文字が該当する漢字文字に変換された文書情報を基に印刷データを生成すると共に、該印刷データに、上記ステップＳ２０３での印刷設定内容を反映した処理命令を付加した印刷ジョブを生成し、プリンタ２０に送信する。
【００７２】
一方、プリンタ２０は、ホスト端末１０から印刷ジョブを受信すると、印刷ジョブ解析部２５１で該印刷ジョブを解析して該印刷ジョブに含まれる印刷データから印刷イメージデータを生成し、印刷制御部２５２が該印刷イメージデータを画像形成部２３に転送して該印刷イメージデータに基づく画像を記録媒体（用紙）に印刷して出力させる動作を印刷部数に達するまで実行させる。
【００７３】
その際、ホスト端末１０から受信した印刷ジョブに含まれる印刷データは、ホスト端末１０の学習済漢字変換処理部１４５による学習済漢字変換処理（図６のステップＳ２０８〜Ｓ２１９参照）によって、該印刷データの元である文書情報の印刷指示時にユーザによって指定された配布先（例えば、第一学年）にとって学習済の漢字に対応する文字列のみが該当する漢字に変換された内容を有する。
【００７４】
よって、この学習済の漢字に対応する文字列のみが該当する漢字に変換された文書情報から生成された印刷データに基づくプリンタ２０の印刷出力結果は、ユーザが印刷指示した文書情報中の、一緒に指示した配布先が学習済の漢字が印刷されたものとなる。
【００７５】
図９〜図１１は、ホスト端末１０の印刷処理（図７参照）に基づくプリンタ２０での印刷出力例とその際の印刷指示操作例を示す概念図である。
【００７６】
図９〜図１１の印刷出力例は、ユーザにより印刷指示される文書情報が、いずれも、「学習した漢字は確実に覚えて下さい。」という内容の文書情報ａであるが、その際にユーザが指定する配布先がそれぞれ異なるものである。
【００７７】
なお、文書情報ａにおいて、「学」、「字」、「下」という漢字は漢字配当表上、第一学年に関連付けられた（第一学年に学習が義務付けられた）漢字であり、以下、同様に、「習」、「漢」、「実」という漢字は第三学年に、「覚」という漢字は第四学年に、「確」という漢字は第五学年に、ぞれぞれ、学習が義務付けられた漢字である。
【００７８】
図９は、ホスト端末１０において、ユーザが文書情報ａの印刷指示に際して配布先として第五学年を指定した場合における印刷出力例を示している。
【００７９】
この時、学習済漢字管理ＴＢ１３１において、第五学年に対応する漢字の中で、「確」という漢字が学習済である旨の登録がなされているものとすると、ホスト端末１０では、図６のステップＳ２１５において、文書情報ａ中、第五学年までの各学年で学習すべき漢字「学」、「字」、「下」、「習」、「漢」、「実」、「覚」の各漢字の他、第五学年に関連する漢字の中で学習済の漢字「確」が学習済の漢字であると判断され、同、ステップＳ２１６でこれらが該当する漢字に変換され、同、ステップＳ２１９で該変換後の漢字を含む文書情報ａに基づく印刷指示がプリンタ２０に対して行なわれる。
【００８０】
その結果、プリンタ２０では、図９に示すように、文書情報ａ中の全ての漢字に対応する文字列が漢字に変換されて印刷された印刷物（プリント）２３１ａが指定部数分出力される。
【００８１】
図１０は、ホスト端末１０において、ユーザが文書情報ａの印刷指示に際して配布先として第三学年を指定した場合における印刷出力例を示している。
【００８２】
特に、図１０（ａ）は、学習済漢字管理ＴＢ１３１において、第三学年に対応する漢字「習」、「漢」、「実」中、「漢」のみが学習済として登録されている時期（例えば、一学期半ば）に当該印刷指示が行なわれた時の印刷出力例を示し、他方、図１０（ｂ）は、学習済漢字管理ＴＢ１３１において、第三学年に対応する漢字「習」、「漢」、「実」の全てが学習済として登録されている時期（例えば、学年終了直前）に当該印刷指示が行なわれた時の印刷出力例を示している。
【００８３】
これにより、図１０（ａ）のケースでは、ホスト端末１０では、図６のステップＳ２１５において、文書情報ａ中、第三学年までの各学年で学習すべき漢字「学」、「字」、「下」と、第三学年で当該時期までに学習済の漢字「漢」の各漢字が学習済の漢字であると判断され、かつ、第三学年で当該時期までに未学習の漢字「習」と「実」、第四学年に対応する漢字「覚」、及び第五学年に対応する漢字「確」が学習済の漢字でないと判断された後、同、ステップＳ２１６では学習済である判断された各文字列がそれぞれ「学」、「字」、「下」及び「漢」の各漢字に変換されると共に、同ステップＳ２１７では、学習済でないと判断された「習」、「実」、「覚」及び「確」がそれぞれひらがなに変換される。
【００８４】
これにより、同、ステップＳ２１９では、該変換後の漢字「学」、「字」、「下」及び「漢」と、「習」、「実」、「覚」及び「確」がひらがなに変換された文書情報ａに基づく印刷指示がプリンタ２０に対して行なわれ、プリンタ２０では、図１０（ａ）に示すように、「学しゅうした漢字は確じつにおぼえて下さい。」という文字が画像として印刷されたプリント２３１ｂが指定部数分出力される。
【００８５】
これに対し、図１０（ｂ）のケースでは、ホスト端末１０では、図６のステップＳ２１５において、文書情報ａ中、第三学年までの各学年で学習すべき漢字「学」、「字」、「下」と、第三学年で当該時期までに学習済の漢字「漢」、「習」、「実」の各漢字が学習済の漢字であると判断され、かつ、第四学年に対応する漢字「覚」、及び第五学年に対応する漢字「確」が学習済の漢字でないと判断された後、同、ステップＳ２１６では学習済である判断された各文字列がそれぞれ「学」、「字」、「下」、「漢」、「習」及び「実」の各漢字に変換されると共に、同ステップＳ２１７では、学習済でないと判断された「覚」及び「確」がそれぞれひらがなに変換される。
【００８６】
これにより、同、ステップＳ２１９では、該変換後の漢字「学」、「字」、「下」「漢」、「習」及び「実」と、「覚」及び「確」がひらがなに変換された文書情報ａに基づく印刷指示がプリンタ２０に対して行なわれ、プリンタ２０では、図１０（ａ）に示すように、「学習した漢字は確実におぼえて下さい。」という文字が画像として印刷されたプリント２３１ｃが指定部数分出力される。
【００８７】
図１１は、ホスト端末１０において、ユーザが文書情報ａの印刷指示に際して配布先として第一学年を指定した場合における印刷出力例を示している。
【００８８】
特に、図１１（ａ）は、学習済漢字管理ＴＢ１３１において、第一学年に対応する漢字「学」、「字」、「下」中、「学」のみが学習済として登録されている時期（例えば、入学当初）に当該印刷指示が行なわれた時の印刷出力例を示し、他方、図１１（ｂ）は、学習済漢字管理ＴＢ１３１において、第一学年に対応する漢字「学」、「字」、「下」の全てが学習済として登録されている時期（例えば、学年終了直前）に当該印刷指示が行なわれた時の印刷出力例を示している。
【００８９】
これにより、図１１（ａ）のケースでは、ホスト端末１０では、図６のステップＳ２１５において、文書情報ａ中、第一学年で当該時期までに学習済の漢字「字」が学習済の漢字であると判断され、かつ、第一学年で当該時期までに見学習の漢字「学」と「下」、第二学年以降の各学年に対応する漢字「習」、「漢」、「確」、「実」及び「覚」が学習済の漢字でないと判断された後、同、ステップＳ２１６では学習済である判断された文字列が「字」という漢字に変換されると共に、同ステップＳ２１７では、学習済でないと判断された「学」、「下」、「習」、「漢」、「確」、「実」及び「覚」がそれぞれひらがなに変換される。
【００９０】
これにより、同、ステップＳ２１９では、該変換後の漢字「字」と、「学」、「下」、「習」、「漢」、「確」、「実」及び「覚」がひらがなに変換された文書情報ａに基づく印刷指示がプリンタ２０に対して行なわれ、プリンタ２０では、図１１（ａ）に示すように、「がくしゅうしたかん字はかくじつにおぼえてください。」という文字が画像として印刷されたプリント２３１ｄが指定部数分出力される。
【００９１】
これに対し、図１１（ｂ）のケースでは、ホスト端末１０では、図６のステップＳ２１５において、文書情報ａ中、第一学年で当該時期までに学習済の漢字「学」、「字」及び「下」が学習済の漢字であると判断され、かつ、第二学年以降の各学年に対応する漢字「習」、「漢」、「確」、「実」及び「覚」が学習済の漢字でないと判断された後、同、ステップＳ２１６では学習済である判断された文字列が「学」、「字」及び「下」の各漢字に変換されると共に、同ステップＳ２１７では、学習済でないと判断された「習」、「漢」、「確」、「実」及び「覚」がそれぞれひらがなに変換される。
【００９２】
これにより、同、ステップＳ２１９では、該変換後の漢字「学」、「字」及び「下」と、「習」、「漢」、「確」、「実」及び「覚」がひらがなに変換された文書情報ａに基づく印刷指示がプリンタ２０に対して行なわれ、プリンタ２０では、図１１（ｂ）に示すように、「学しゅうしたかん字はかくじつにおぼえて下さい。」という文字が画像として印刷されたプリント２３１ｅが指定部数分出力される。
【００９３】
次に、この印刷システムの別の運用方法について説明する。
【００９４】
本実施例の印刷システムでは、学習済漢字管理ＴＢ１３１に、図４に示す内容の学習済漢字管理情報を保持する以外に、図１２に示すような内容の学習済漢字管理情報を保持した環境での運用も行える。
【００９５】
図１２に示すように、この学習済漢字管理ＴＢ（便宜的に、１３１ｂと呼称）には、単一の配布対象者（この例では、小学校の第一学年Ａ組）に対応して、第一学年に対応する漢字配当表中の各漢字と、各漢字に対応するその漢字が当該児童によって学習済である否かを示す情報とから成る学習済漢字管理情報が記憶される。
【００９６】
この学習済漢字管理ＴＢ１３１ｂを用いて、学習済漢字変換印刷を行なう場合、配布対象者がＡ組のみであるため、文書情報の印刷指示時に、あえて、配布先を指定する指定する必要がない。
【００９７】
そこで、この学習済漢字管理ＴＢ１３１ｂを用いる場合、本実施例のホスト端末１０では、文書情報の印刷指示に際し、該文書情報に基づき印刷物の配布先を指定するのではなく、該文書情報中の学習済の漢字に相当する文字列を該当する漢字に変換して印刷する学習済漢字変換印刷モードで印刷するか否かの指示を受付ける。
【００９８】
この場合におけるユーザによる学習済漢字変換印刷モードで印刷する旨の指示は、印刷設定画面１２５（図８参照）を用いて行なうことができる。
【００９９】
この学習済漢字変換印刷モードを指定して印刷する場合の処理について、図７に示すフローチャートを援用して説明する。
【０１００】
但し、学習済漢字変換印刷モードを指定して印刷する場合、図７に示すフローチャート中、ステップＳ２０４、Ｓ２０６及びＳ２０９の処理が以下に述べる特有の処理となり（それぞれ、以下に記述するステップＳ２０４ｂ、Ｓ２０６ｂ及びＳ２０９ｂに変る）、ステップＳ２０８は不要になる。
【０１０１】
例えば、本実施例に係わる印刷システムを利用するユーザ、例えば、第一学年Ａ組を受け持つ先生が、ある文書情報を、自分が受け持つ学級の生徒に配布するためのプリントを、該学級で学習済の漢字を該当漢字に変換して印刷しようとする場合には、ホスト端末１０を用いて、まず、アプリケーションを立上げ（ステップＳ２０１）、次いで、該文書情報を選択し（ステップＳ２０２）、更に、印刷設定画面１２５を用いて印刷設定を行なう（ステップＳ２０３）際、印刷設定画面１２５中の配布先指定の欄における“学習済漢字変換印刷指定”チェック・ボックスにチェックを入れる。
【０１０２】
この場合、付随のコンボ・ボックスを操作して、例えば、選択候補の中から空欄を選択することで、配布先の指定は行わないようにする。
【０１０３】
これに対し、配布先指定制御部１４４は、印刷設定画面１２５上の“学習済漢字変換印刷指定”チェック・ボックスのチェック操作を監視し、該チェックボックスがチェックされるとこれを認識して学習済漢字変換印刷モードの指定を受付ける（ステップＳ２０４ｂ）。
【０１０４】
その後、ユーザによって印刷開始指示操作が行なわれると（ステップＳ２０５ＹＥＳ）、印刷ジョブ生成部１４２は、印刷設定画面１２５を用いた学習済漢字印刷モードが指定されているか否かをチェックし（ステップＳ２０６ｂ）、該印刷モードが指定されていない場合（ステップＳ２０６ｂＮＯ）は、通常の印刷処理（ステップＳ２２１）を行う。
【０１０５】
これに対し、学習済漢字変換印刷モードが指定されている場合（ステップＳ２０６ＹＥＳ）、学習済漢字変換処理部１４５は、学習済漢字管理ＴＢ１３１ｂに格納されている漢字文字の学習／未学習フラグをチェックし、その値が“１”である学習済の漢字文字（文字コード）を読出し、これを比較照合情報エリアに保持する（ステップＳ２０９ｂ）。
【０１０６】
以降、ステップＳ２１０〜Ｓ２１９の処理は実施例１（図７参照）と同様であり、詳しい説明は割愛する。
【０１０７】
この学習済漢字変換印刷モードの指定（配布先の指定無し）に基づく印刷処理の結果、上記ステップＳ２０２で印刷指示された文書情報が、該文書中の文字列のうち、図１２に示す学習済漢字管理ＴＢ１３１ｂに保持される学習済の漢字に相当する文字列のみが該当する漢字に変換された印刷物を得ることができる。
【０１０８】
以上の如く、実施例１に係わるホスト端末１０では、学習済漢字管理ＴＢ１３１が、各学年に対応して、該各学年で学習すべき漢字文字群と、該漢字文字群中の各漢字が学習済みか否かを示す情報を保持し、文書情報の印刷指示に際し、該文書情報に基づく印刷物の配布対象者としてある学年が指定されると、学習済漢字変換処理部１４５は、該文書情報中の配布先として指定された学年までの各学年に対応して学習済漢字管理ＴＢ１３１に格納される学習済漢字に対応する文字列を漢字に変換処理し、印刷ジョブ生成部１４２は、学習済漢字変換処理部１４５による変換処理後の文書情報に基づき、プリンタ２０に、印刷指示された文書情報中、指定された学年までに学習済の漢字に相当する文字列が漢字に変換された印刷物を印刷出力させるように制御する。
【０１０９】
また、このホスト端末１０では、学習済漢字管理ＴＢ１３１ｂに、単一の配布対象者（ある学級や、個人等）に対応して、学習すべき漢字文字群と、該漢字文字群中の各漢字が学習済みか否かを示す情報を保持し、文書情報の印刷指示に際し、学習済漢字変換印刷モードが指定された場合、学習済漢字変換処理部１４５は、該印刷指示された文書情報中の文字列のうち、学習済漢字管理ＴＢ１３１に格納される学習済漢字に対応する文字列を漢字に変換処理し、印刷ジョブ生成部１４２は、学習済漢字変換処理部１４５による変換処理後の文書情報に基づき、プリンタ２０に、印刷指示された文書情報中の学習済の漢字に相当する文字列が漢字に変換された印刷物を印刷出力させるように制御する。
【実施例２】
【０１１０】
図１３は、実施例２に係わる印刷システムの全体構成を示すブロック図である。
【０１１１】
この印刷システムは、ホスト端末１０Ｂ、プリンタ２０及び印刷サーバ５０をＬＡＮケーブル等の伝送路３０を介して接続して構成される。
【０１１２】
本実施例において、ホスト端末１０Ｂは、ＰＣ等によって実現され、例えば、図１３に示すように、実施例１に係わるホスト端末１０から、学習済漢字管理ＴＢ１３１、学習済漢字管理部１４３、学習済漢字変換処理部１４５の各機能を取り去った構成を有する。
【０１１３】
かかる構成において、ホスト端末１０Ｂは、実施例１と同様、アプリケーション部１４１によりアプリケーションを起動し、文書を選択して編集画面上に表示し、印刷設定画面１２５（図８参照）を用いて印刷設定を行なう際、必要に応じて、配布先指定欄中のチェック・ボックスにチェックを入れ、コンボ・ボックスを操作して該文書情報に基づく印刷物の配布先を指定できるようになっている。
【０１１４】
その後、印刷開始操作がなされると、印刷ジョブ生成部１４２は、該文書情報に基づき生成した印刷データと上記印刷設定に基づく処理命令を含む印刷ジョブを生成する。その際、上記印刷設定時に配布先指定が受付けられている場合は、該指定された配布先の情報を上記印刷ジョブに付加して印刷サーバ５０に送信する。
【０１１５】
すなわち、本実施例に係わるホスト端末１０Ｂは、印刷サーバ５０に対して、配布先（グループ）を指定した文書の印刷指示を行う印刷指示機能を有する。
【０１１６】
一方、印刷サーバ５０は、コンピュータ等の情報処理装置により実現され、例えば、図１４に示すように、伝送路３０を介してホスト端末１０Ｂやプリンタ２０と通信する際の通信インタフェースを司る通信インタフェース（Ｉ／Ｆ）部５１、動作プログラム等の各種情報を記憶する記憶部５３、装置全体の制御を行う制御部５５を具備して構成される。
【０１１７】
印刷サーバ５０において、記憶部５３には、学習済漢字管理テーブル（ＴＢ）５３１が設けられる。学習済漢字管理ＴＢ５３１には、実施例１に係わるホスト端末１０の記憶部１３に設けられる学習済漢字管理ＴＢ１３１（図４参照）と同等の学習済漢字管理情報が格納されている。
【０１１８】
また、印刷サーバ５０の制御部５５には、印刷ジョブ（ＪＯＢ）送受信部５５１、配布先判定部５５２、印刷制御部５５３、学習済漢字変換処理部５５４及び学習済漢字管理部５５５が設けられる。
【０１１９】
印刷ジョブ（ＪＯＢ）送受信部５５１は、ホスト端末１０Ｂから送出される印刷ジョブの受信と、プリンタ２０に対する印刷ジョブの送信を通信  Ｉ／Ｆ部５１を介して行なう。
【０１２０】
配布先判定部５５２は、ホスト端末１０Ｂから受信した印刷ジョブに付加される配布先の情報を抽出し、配布先を判定する。
【０１２１】
印刷制御部５５３は、ホスト端末１０Ｂから受信した印刷ジョブに基づく通常の印刷制御の他、該受信した印刷ジョブから配布先判定部５５２により抽出、判別された配布先に対応して学習済漢字管理ＴＢ５３１に保持（登録）されている学習済の漢字文字を参照して、該印刷ジョブ中の印刷データ（ユーザにより印刷指示された文書情報に相当）中の学習済漢字に相当する文字列を該当する漢字に変換して印刷する処理（図１５のステップＳ３０４〜Ｓ３１４参照）を実行する制御機能を併せ持つ。
【０１２２】
学習済漢字変換処理部５５４は、実施例１に係わるホスト端末１０における学習済漢字変換処理部１４５と同等の機能を有するものであり、配布先判定部５５２により受信印刷ジョブから抽出、判別された配布先に対応して学習済漢字管理ＴＢ５３１に保持されている学習済の漢字文字に相当する文字列を該当する漢字文字に変換する処理を行う。
【０１２３】
学習済漢字管理部５５４は、学習済漢字管理ＴＢ５３１に保持されている学年別漢字配当表の各漢字に対応する学習／未学習フラグを更新設定する処理を、例えば、ホスト端末１０Ｂの制御部１４ｂと協働して実施する。
【０１２４】
具体的には、ホスト端末１０Ｂで所定の情報取得要求操作を行なうと、制御部１４ｂが、印刷サーバ５０に対して、学習済漢字管理情報の取得要求を送出する。
【０１２５】
印刷サーバ５０では、上記取得要求を受信すると、学習済漢字管理部５５４が、学習済漢字管理ＴＢ５３１に保持されている学年別漢字配当表の情報（配当漢字情報）を読み出してホスト端末１０Ｂに送出する。
【０１２６】
一方、ホスト端末１０Ｂでは、制御部１４ｂが、上記取得要求送出後、印刷サーバ５０から送られてくる上記学年別漢字配当表の情報を取得して、該学年別漢字配当表を含む登録画面を表示部１２に表示する。この登録画面は、図６に示す学習済漢字登録画面１２１と同様の内容を有するものである。
【０１２７】
ホスト端末１０Ｂにおいて、ユーザが、上記登録画面（学習済漢字登録画面１２１）上で、カーソル１２１２と「選択」ボタン１２１３を用いてある漢字を選択指定し、更に、「設定」ボタン１２１４を押下すると、制御部１４ｂは、該選択指定された漢字を学習済の漢字として登録する要求を印刷サーバ５０に送出する。
【０１２８】
印刷サーバ５０では、上記登録要求を受信すると、学習済漢字管理部５５４が、学習済漢字管理ＴＢ５３１に保持されている、ホスト端末１０Ｂのユーザにより選択指定された漢字を特定し、該漢字に付加される学習／未学習フラグを学習済であることを示す値“１”に更新設定する。
【０１２９】
図１５は、本実施例に係わる印刷サーバ５０の印刷処理動作を示すフローチャートである。
【０１３０】
図１５に示すように、印刷サーバ５０では、待機中、ホスト端末１０Ｂから印刷ジョブを受信したか否かを監視している（ステップＳ３０１）。
【０１３１】
ここで、印刷ジョブ送受信部５５１を通じて印刷ジョブが受信されると（ステップＳ３０１ＹＥＳ）、配布先判別５５２は、該印刷ジョブに配布先の情報が含まれているか否かをチェックし（ステップＳ３０２）、配布先の情報が含まれていない場合（ステップＳ３０２ＮＯ）は、通常の印刷制御（ステップＳ３２１）を行う。
【０１３２】
この通常の印刷制御において、印刷制御部５５３は、上記ステップＳ３０１でホスト端末１０Ｂから受信した印刷ジョブを、印刷ジョブ送受信部５５１を通じてプリンタ２０に送出し、該プリンタ２０に該印刷ジョブに基づき印刷物（文書情報に対応する画像）を指定部数分印刷出力させる。
【０１３３】
これに対し、ホスト端末１０Ｂから受信した印刷ジョブに配布先の情報が含まれている場合（ステップＳ３０２ＹＥＳ）、配布先判別部５４５２が該配布先の情報を抽出して該配布先（学年）を判別する（ステップＳ３０３）。
【０１３４】
これ以後、印刷サーバ５０では、印刷制御部５５３と学習済漢字変換処理部５５４とが協働し、例えば、学習済漢字変換処理部５５４が、受信した印刷ジョブ中の印刷データ（ホスト端末１０Ｂで印刷指示された文書情報に相当）の文字列中、上記ステップＳ３０３で判別された配布先（ある学年）に対応して学習済漢字管理ＴＢ５３１に保持されている学習済漢字に相当する文字列を該当する漢字に変換する処理を全ての文字列に対して実行し、印刷制御部５５３が、学習済漢字変換処理部５５４による変換処理後の印刷データを含む印刷ジョブを、プリンタ２０に送出して、該プリンタ２０に、印刷指示された文書情報中、指定された学年までに学習済の漢字に相当する文字列が漢字に変換された印刷物を印刷出力させるように制御する（ステップＳ３０４〜Ｓ３１４）。
【０１３５】
このステップＳ３０４〜Ｓ３１４での一連の学習済漢字変換印刷制御は、実施例１に係わるホスト端末１０における、図７のステップＳ２０８〜Ｓ２１９に示した一連の処理と同様であるため、ここでの詳しい説明は割愛する。
【０１３６】
このように、実施例２では、ホスト端末１０Ｂから印刷サーバ５０に対し、配布先（学年）を指定した文書の印刷指示を行ない、印刷サーバ５０では、ホスト端末１０Ｂからの配布先を指定した文書の印刷指示の受付けに際し、学習済漢字変換処理部５５４が、受信した印刷ジョブ中の印刷データの文字列中、指定された配布先（学年）に対応して学習済漢字管理ＴＢ５３１に保持されている学習済漢字に相当する文字列を該当する漢字に変換処理し、印刷制御部５５３が、学習済漢字変換処理部５５４による変換処理後の印刷データに基づき、プリンタ２０に、該印刷データ中、指定された学年までに学習済の漢字に相当する文字列が漢字に変換された印刷物を印刷出力させるように制御する。
【０１３７】
この他、本発明は、上記し、且つ図面に示す実施例に限定することなく、その要旨を変更しない範囲内で適宜変形して実施できるものである。
【０１３８】
例えば、上記各実施例では、各学年に対応して、該各学年で学習すべき漢字文字群（学年別漢字配当表）と、該漢字文字群中の各漢字が学習済みか否かを示す情報を情報保持手段（学習済漢字管理ＴＢ）に保持する例を挙げたが、情報保持手段が保持する情報は、これに限られるものではない。
【０１３９】
要は、本発明は、文書の配布対象者に対応して、該配布対象者に関連する文字群と、該文字群中の各文字に所定の運用が適用されたか否かを示す情報を情報保持手段に保持し、配布対象者を指定した文書の印刷指示の受付けに際し、該印刷指示された文書情報の文字列のうち、該配布対象者に対応して情報保持手段に保持される上記運用の適用済み文字に相当する文字列を該運用に対応する文字に変換すると共に、該文字列変換後の文書情報に基づき印刷装置に対する印刷指示を行なう情報処理装置、印刷システム全般に適用できる。
【０１４０】
また、上記実施例では、ホスト端末１０や印刷サーバ５０（以上、コンピュータ）に印刷制御プログラムを実装し、該プログラムに基づき、当該ホスト端末１０，印刷サーバ５０に、配布対象者を指定した文書の印刷指示の受付けに際し、該印刷指示された文書情報の文字列のうち、該配布対象者に対応して前記情報保持手段に保持される上記運用の適用済み文字に相当する文字列を該運用に対応する文字に変換する変換ステップと、前記変換ステップによる文字列変換後の前記文書情報に基づき印刷装置に対する印刷指示を行なう印刷指示ステップとを含む印刷制御を実行させるようにしているが、当該印刷制御プログラムをＣＤＲＯＭ等の記憶媒体に格納して提供するようにしても良い。
【産業上の利用可能性】
【０１４１】
本発明は、ＰＣや、ＰＣからの印刷指示に基づき印刷制御を行う印刷サーバ等の情報処理装置、ＰＣ及びプリンタと印刷サーバを接続した印刷システム、ＰＣや印刷サーバに実装する印刷制御プログラムに適用できる。
【図面の簡単な説明】
【０１４２】
【図１】実施例１に係わる印刷システムの全体構成を示すブロック図。
【図２】実施例１に係わるホスト端末の機能構成を示すブロック図。
【図３】プリンタの機能構成を示すブロック図。
【図４】実施例１に係わる学習済漢字管理テーブルの登録情報の一例を示す表図。
【図５】実施例１のホスト端末の学習済漢字更新設定処理動作を示すフローチャート。
【図６】学習済漢字更新設定に用いる学習済漢字登録画面の表示例を示す図。
【図７】実施例１のホスト端末の印刷処理動作を示すフローチャート。
【図８】実施例１に係わる印刷設定画面の表示例を示す図。
【図９】実施例１の印刷処理に基づく印刷出力の一例を示す図。
【図１０】実施例１の印刷処理に基づく印刷出力の別の例を示す図。
【図１１】実施例１の印刷処理に基づく印刷出力の更に別の例を示す図。
【図１２】実施例１に係わる別の例の学習済漢字管理テーブルの情報登録内容を示す表図。
【図１３】実施例２に係わる印刷システムの全体構成を示すブロック図。
【図１４】実施例２に係わる印刷サーバの機能構成を示すブロック図。
【図１５】実施例２の印刷サーバにおける印刷処理動作を示すフローチャート。
【符号の説明】
【０１４３】
１０，１０Ｂ…ホスト端末（ＰＣ）、１１…入力／操作部、１２…表示部、１２１…学習済漢字登録画面、１２５…印刷設定画面、１３…記憶部、１３１，１３１ｂ…学習済漢字管理テーブル（ＴＢ）、１４，１４ｂ…制御部、１４１…アプリケーション部、１４２…印刷ジョブ生成部、１４３…学習済漢字管理部、１４４…配布先指定制御部、１４５…学習済漢字変換処理部、１５…外部インタフェース（Ｉ／Ｆ）部、１５ｂ…通信インタフェース（Ｉ／Ｆ）部、２０…プリンタ、２１…外部インタフェース（Ｉ／Ｆ）部、２２…記憶部、２３…画像形成部、２４…表示／操作部、２５…制御部、２５１…印刷ジョブ解析部、２５２…印刷制御部、３０…伝送路、５０…印刷サーバ、５１…通信インタフェース（Ｉ／Ｆ）部、５３…記憶部、５３１…学習済漢字管理テーブル（ＴＢ）、５５…制御部、５５１…印刷ジョブ送受信部、５５２…配布先判別部、５５３…印刷制御部、５５４…学習済漢字変換処理部、５５５…学習済漢字管理部
【図１】
2008112379.tif 000003
【図２】
2008112379.tif 000004
【図３】
2008112379.tif 000005
【図４】
2008112379.tif 000006
【図５】
2008112379.tif 000007
【図６】
2008112379.tif 000008
【図７】
2008112379.tif 000009
【図８】
2008112379.tif 000010
【図９】
2008112379.tif 000011
【図１０】
2008112379.tif 000012
【図１１】
2008112379.tif 000013
【図１２】
2008112379.tif 000014
【図１３】
2008112379.tif 000015
【図１４】
2008112379.tif 000016
【図１５】
2008112379.tif 000017